(57)【要約】【課題】他の使用者の下肢が幕板に干渉するのを抑え、天板上のスペースの使用性を高めることのできる天板昇降式什器を提供する。【解決手段】上下方向に伸縮可能とされ、床面Ｆ上に左右方向で互いに離間して配置された一対の脚体３１と、一対の脚体３１に支持された天板２１と、天板２１から下方に向かって延設されるとともに、天板２１の下方空間を前後方向に仕切る上部後幕板２２と、上部後幕板２２よりも低い位置で、前後方向で天板２１の後端面２１ｅと上部後幕板２２との間に配置された下部後幕板１１と、を備え、上部後幕板２２は、脚体３１の伸縮動作に伴い、下部後幕板１１に対して上下方向に相対移動し、前後方向において、下部後幕板１１から後側への天板２１の張出寸法Ｄ１は、上部後幕板２２から前側への天板２１の張出寸法Ｄ２よりも小さい。【選択図】図４
2019083914.tif 000002
【特許請求の範囲】
【請求項１】
上下方向に伸縮可能とされ、床面上に左右方向で互いに離間して配置された一対の脚体と、
一対の前記脚体に支持された天板と、
前記天板から下方に向かって延設されるとともに、前記天板の下方空間を前後方向に仕切る上部幕板と、
前記上部幕板よりも低い位置で、前後方向で前記天板の後端面と前記上部幕板との間に配置された下部幕板と、を備え、
前記上部幕板は、前記脚体の伸縮動作に伴い、前記下部幕板に対して上下方向に相対移動し、
前後方向において、前記下部幕板から後側への前記天板の張出寸法は、前記上部幕板から前側への前記天板の張出寸法よりも小さい天板昇降式什器。
【請求項２】
前記下部幕板に対して、左右方向の少なくとも一方の端側には、前記天板の下方空間を左右方向で仕切るとともに、前後方向に延びる側部幕板が設けられている請求項１に記載の天板昇降式什器。
【請求項３】
前記側部幕板は、前記下部幕板に対して左右方向の両端部にそれぞれ接続されている請求項２に記載の天板昇降式什器。
【請求項４】
前記側部幕板は、前記下部幕板よりも後側に突出している請求項２又は請求項３に記載の天板昇降式什器。
【請求項５】
前記脚体は、前記上部幕板よりも前側に配置されている請求項１から請求項４の何れか一項に記載の天板昇降式什器。
【請求項６】
前記脚体は、前記天板における前後方向の中央部を支持している請求項５に記載の天板昇降式什器。
【請求項７】
前記上部幕板に対して前側には、前記床面側から上方に立ち上がる立ち上がり壁が設けられている請求項１から請求項６の何れか一項に記載の天板昇降式什器。
【請求項８】
前記天板が下降端位置に位置した状態で、前記上部幕板の下端が、前記立ち上がり壁の上端よりも下方に位置している請求項７に記載の天板昇降式什器。
【請求項９】
前記天板が上昇端位置に位置した状態で、前記上部幕板の下端が、前記下部幕板の上端よりも下方に位置している請求項１から請求項８の何れか一項に記載の天板昇降式什器。
【発明の詳細な説明】
【技術分野】
【０００１】
本発明は、天板昇降式什器に関する。
【背景技術】
【０００２】
各種施設（例えば、オフィスや公共施設、医療施設、介護施設等）には、天板を備えた天板付什器（例えば、デスク装置、テーブル装置、カウンター装置等）が設置されている。この種の天板付什器には、使用者の身長や好み、使用用途等に応じ、天板の高さを上下に変更可能とする昇降機能を備えたもの（以下、天板昇降式什器という。）がある。
【０００３】
ところで、天板昇降式什器においては、天板を支持する脚体間に幕板を設けることによって、使用者の下肢が、使用者側とは反対側に露呈しないようにしたものが多く見られている。例えば、特許文献１には、天板の後端部の下側に幕板を備えた構成が開示されている。特許文献１に記載の天板昇降式什器は、幕板として、天板の下面に固定された上部幕板と、上部幕板の下方で脚体間に設けられた下部幕板と、を備えている。この天板昇降式什器においては、上部幕板が天板の昇降に伴い、下部幕板に対して上下方向に相対移動する。
【先行技術文献】
【特許文献】
【０００４】
【特許文献１】特開２０１７−８６４４３号公報
【発明の概要】
【発明が解決しようとする課題】
【０００５】
ところで、天板昇降式什器では、天板に対して前側に位置する使用者と打ち合わせ等を行うため、天板の後側に他の使用者が位置する場合がある。この場合、他の使用者の下肢が幕板に干渉し、天板の後側から天板上のスペースを使用しにくいことがある。
さらに、特許文献１に記載の天板昇降式什器において、上部幕板は、下部幕板に対して後側（他の使用者側）に配置されている。このため、他の使用者が天板の後側に位置している状態で天板を昇降させると、天板とともに昇降する上部幕板が、他の使用者の下肢に干渉する可能性がある。
【０００６】
そこで、本発明は、他の使用者の下肢が幕板に干渉するのを抑え、天板上のスペースの使用性を高めることのできる天板昇降式什器を提供することを目的とする。
【課題を解決するための手段】
【０００７】
上記目的を達成するために、本発明の一態様に係る天板昇降式什器は、上下方向に伸縮可能とされ、床面上に左右方向で互いに離間して配置された一対の脚体と、一対の前記脚体に支持された天板と、前記天板から下方に向かって延設されるとともに、前記天板の下方空間を前後方向に仕切る上部幕板と、前記上部幕板よりも低い位置で、前後方向で前記天板の後端面と前記上部幕板との間に配置された下部幕板と、を備え、前記上部幕板は、前記脚体の伸縮動作に伴い、前記下部幕板に対して上下方向に相対移動し、前後方向において、前記下部幕板から後側への前記天板の張出寸法は、前記上部幕板から前側への前記天板の張出寸法よりも小さい。
【０００８】
この構成によれば、上部幕板が下部幕板に対して天板の前側に配置されているので、天板の後側に位置する他の使用者から見ると、下部幕板に対し、上部幕板が他の使用者から遠い側に位置する。したがって、脚体の伸縮によって天板とともに上部幕板が昇降しても、他の使用者の下肢に上部幕板が干渉するのを抑えることができる。その結果、他の使用者は、前側に下肢を近づけて天板上のスペースを利用することができ、天板上のスペースの使用性を高めることが可能となる。
【０００９】
本発明の一態様に係る天板昇降式什器において、前記下部幕板に対して、左右方向の少なくとも一方の端側には、前記天板の下方空間を左右方向で仕切るとともに、前後方向に延びる側部幕板が設けられていてもよい。
この構成によれば、天板の下方空間を側部幕板によって左右方向で仕切ることで、天板昇降式什器を左右方向の外側から見たときに、天板に対して前側に位置する使用者の下肢が外部に露呈しにくくなる。
【００１０】
本発明の一態様に係る天板昇降式什器において、前記側部幕板は、前記下部幕板に対して左右方向の両端部にそれぞれ接続されていてもよい。
この構成によれば、下部幕板及び側部幕板が平面視コ字状をなす。これにより、下部幕板及び側部幕板を、より強固に設けることができる。また、天板の下方空間が側部幕板によって左右両側から覆われるので、使用者の下肢がより一層露呈しにくくなる。
【００１１】
本発明の一態様に係る天板昇降式什器において、前記側部幕板は、前記下部幕板よりも後側に突出していてもよい。
この構成によれば、天板の下方において、後部幕板に対して後側に位置する部分に、下部幕板と、一対の側部幕板とによって囲まれた後部収容空間が形成される。そのため、天板の後側に位置する他の使用者は、例えば自らの下肢を後部収容空間に収容することができる。これにより、他の使用者は、前後方向でより天板に近づくことが可能になり、天板上のスペースが利用し易くなる。
【００１２】
本発明の一態様に係る天板昇降式什器において、前記脚体は、前記上部幕板よりも前側に配置されていてもよい。
この構成によれば、天板昇降式什器を後側から見たとき上部幕板及び下部幕板によって脚体が隠れるので、意匠性を向上させることができる。
【００１３】
本発明の一態様に係る天板昇降式什器において、前記脚体は、前記天板における前後方向の中央部を支持していてもよい。
この構成によれば、脚体により、天板をバランス良く支持することができる。
【００１４】
本発明の一態様に係る天板昇降式什器において、前記上部幕板に対して前側には、前記床面側から上方に立ち上がる立ち上がり壁が設けられていてもよい。
この構成によれば、天板が下降したときに、天板とともに下降する上部幕板の下端と床面との間に物品等が挟まるのを抑えることができる。
また、立ち上がり壁と下部幕板との間に、配線等を収容することもできる。
【００１５】
本発明の一態様に係る天板昇降式什器において、前記天板が下降端位置に位置した状態で、前記上部幕板の下端が、前記立ち上がり壁の上端よりも下方に位置していてもよい。
この構成によれば、天板が下降するときに、上部幕板の下端が下部幕板と立ち上がり壁との間に進入する。そのため、天板が下降するときに、天板とともに下降する上部幕板の下端と床面との間に物品等が挟まるのを、確実に抑えることができる
【００１６】
本発明の一態様に係る天板昇降式什器において、前記天板が上昇端位置に位置した状態で、前記上部幕板の下端が、前記下部幕板の上端よりも下方に位置していてもよい。
この構成によれば、天板が上昇端位置に位置した場合においても、上部幕板の一部と、下部幕板の一部とが重なり合う。これにより、天板の前側に位置する使用者の下肢が露呈するのを、より確実に抑えることができる。
【発明の効果】
【００１７】
本発明の一態様によれば、他の使用者の下肢が幕板に干渉するのを抑え、天板上のスペースの使用性を高めることができる。
【図面の簡単な説明】
【００１８】
【図１】本発明の実施形態に係る天板昇降式什器の全体構成を示す斜視図である。
【図２】上記天板昇降式什器を、図１とは異なる方向から見た斜視図である。
【図３】天板を取り外した状態における上記天板昇降式什器の平面図である。
【図４】上記天板昇降式什器の側断面図である。
【図５】天板や下部横幕板等を取り外した状態を示す天板昇降式什器の斜視断面図である。
【図６】天板を上昇端位置まで上昇させたときの上記天板昇降式什器の側断面図である。
【発明を実施するための形態】
【００１９】
以下、添付図面を参照して、本発明による天板昇降式什器を実施するための形態を説明する。しかし、本発明はこの実施形態のみに限定されるものではない。
図１は、本実施形態に係る天板昇降式什器１の全体構成を示す斜視図である。図２は、天板昇降式什器１を、図１とは異なる方向から見た斜視図である。図３は、天板２１を取り外した状態における天板昇降式什器１の平面図である。
【００２０】
図１〜図３に示すように、天板昇降式什器１は、床面Ｆ上に設置される下部構造体１０と、天板２１を備える上部構造体２０と、上部構造体２０を下部構造体１０に対して上下方向に昇降させる昇降機構３０（図３参照）と、を備える。
本実施形態において、天板２１は、平面視長方形状をなしている。以下の説明において、平面視長方形状の天板２１の長手方向を「左右方向」、天板２１の短手方向を「前後方向」と称することがある。さらに、天板２１の前後方向において、天板２１に対してメインの使用者が位置する側を「前側」、天板２１の前側とは反対側を「後側」とする。
【００２１】
下部構造体１０は、下部後幕板（下部幕板）１１と、床面Ｆ上に互いに離間して配置された一対の下部横幕板（側部幕板）１２と、を備える。
【００２２】
下部後幕板１１は、天板２１の上面２１ｔに沿った前後方向における天板２１の中央部２１ｃに対して天板２１の後側（後端面２１ｅ側）に配置されている。さらに、下部後幕板１１は、天板２１の後端面２１ｅに対し、天板２１の前側（前端面２１ｄ側）に所定寸法オフセットした位置に配置されている。すなわち、下部後幕板１１は、天板２１の中央部２１ｃと後端面２１ｅとの間に位置する天板２１の後端部２１ｒの下方に設けられている。下部後幕板１１は、後述する上部後幕板２２よりも下方に設けられている。下部後幕板１１は、一対の下部横幕板１２間を架け渡した状態で、天板２１の下方空間を前後方向に仕切っている。なお、下部後幕板１１は、例えば木系材料や金属系材料、樹脂系材料等によって形成することができる。
【００２３】
下部横幕板１２は、前後方向の両端部に設けられた設置脚１８（図２参照）を介して床面Ｆ上に設置されている。下部横幕板１２は、天板２１の左右方向両側の側端部２１ｓの下方にそれぞれ配置されている。下部横幕板１２は、下部後幕板１１の左右方向の両側にそれぞれ設けられている。各下部横幕板１２は、左右方向に直交する面内に沿って配置されている。すなわち、各下部横幕板１２は、天板２１の側端部２１ｓに沿って前後方向（天板２１の短手方向）に延びている。下部横幕板１２は、少なくとも下部後幕板１１と脚体３１との間を架け渡した状態で、天板２１の下方空間を左右方向に仕切っている。
【００２４】
下部横幕板１２は、前部箱状部１３と、外側面部１４と、内側面部１５と、を一体に有している。前部箱状部１３は、天板２１の前端部２１ｆの下方に位置している。前部箱状部１３は、左右方向において、外側面部１４と内側面部１５とに跨がる厚さを有している。さらに、前部箱状部１３の前端部には、後側から前側に向かって、左右方向の厚さが漸次小さくなる傾斜面１３ｓが形成されている。
【００２５】
外側面部１４は、前部箱状部１３から連続して後側に延び、下部後幕板１１の左右方向の端部に接合されている。外側面部１４の後端部１４ｒは、下部後幕板１１よりも後側に突出している。外側面部１４の後端部１４ｒは、天板２１の後端面２１ｅよりも前側に位置している。但し、外側面部１４の後端面は、天板２１の後端面２１ｅと面一に配置されていてもよい。
【００２６】
内側面部１５は、外側面部１４に対し、天板２１の長手方向（左右方向）内側に間隔をあけて設けられている。内側面部１５は、前部箱状部１３から連続して後側に延びている。内側面部１５の後端部１５ｒは、下部後幕板１１に対して前後方向に間隔をあけて配置されている。
【００２７】
このような下部横幕板１２は、例えば木系材料や金属系材料、樹脂系材料等によって形成することができる。本実施形態において、下部横幕板１２は、木系材料から形成されている。この場合、下部横幕板１２の下面には、後述する脚体３１を強固に支持するため、前後方向に延びる鋼製のフレーム１６が固定される。
【００２８】
上部構造体２０は、天板２１と、上部後幕板（上部幕板）２２と、上部横幕板（側部幕板）２３と、を備える。
【００２９】
図４は、天板昇降式什器１の側断面図である。
図４に示すように、上部後幕板２２は、天板２１の後端部２１ｒの下面２１ｂから下方に向かって垂下して設けられている。上部後幕板２２は、前後方向における天板２１の中央部２１ｃに対して後側に配置されている。上部後幕板２２は、下部後幕板１１と平行に配置されるとともに、下部後幕板１１に対して前側に配置されている。すなわち、本実施形態では、前後方向において、下部後幕板１１の後面から天板２１の後端面２１ｅまでの距離（以下、後側張出寸法Ｄ１という。）は、上部後幕板２２の前面から天板２１の前端面２１ｄまでの距離（以下、前側張出寸法Ｄ２という。）よりも小さくなっている。上部後幕板２２は、天板２１の下方空間を前後方向に仕切っている。下部後幕板１１と上部後幕板２２とは、前後方向に間隔を空けて配置されている。なお、下部後幕板１１及び上部後幕板２２の何れか一方の幕板には、下部構造体１０に対する上部構造体２０の昇降動作時に他方の幕板に摺接する可撓性部材等を設け、可撓性部材によって上述した間隔を閉塞してもよい。
【００３０】
図５は、天板２１や下部横幕板１２等を取り外した状態を示す天板昇降式什器１の斜視断面図である。
図１に示すように、上部横幕板２３は、天板２１の側端部２１ｓの下面２１ｂから下方に向かって垂下して設けられている。図５に示すように、上部横幕板２３は、天板２１の下方空間を脚体３１と上部後幕板２２との間で左右方向に仕切っている。上部横幕板２３は、板状部２４と、脚体収容部２５と、を一体に有する。
板状部２４は、脚体３１と上部後幕板２２との間で、左右方向に直交する面内に沿って配置されている。板状部２４の後端部２４ｒは、上部後幕板２２の左右方向の端部に連結されている。
【００３１】
脚体収容部２５は、上下方向に延びる角筒状をなしている。図３に示すように、脚体収容部２５は、天板２１の側端部２１ｓの下方において、前後方向の中央部２１ｃに位置している。脚体収容部２５は、平面視したときに、下部横幕板１２の前部箱状部１３の後方において、外側面部１４と内側面部１５との間に配置されている。
【００３２】
図６は、天板２１を上昇端位置Ｐ１まで上昇させたときの天板昇降式什器１の側断面図である。
図６に示すように、脚体収容部２５は、天板２１を上昇端位置Ｐ１（図６参照）まで上昇させたときにも、その下端部２５ｂが、下部横幕板１２の上端１２ｔよりも下側に位置するよう設けられている。
【００３３】
昇降機構３０は、脚体３１と、コントローラ３５と、を備える。
脚体３１は、天板２１の左右方向の両端部にそれぞれ設けられている。脚体３１は、天板２１の下方において、前後方向の中央部２１ｃに配置されている。これにより、脚体３１は、上部後幕板２２及び下部後幕板１１よりも、前側に配置されている。
【００３４】
脚体３１は、多段筒状（例えば、三段）に形成されている。本実施形態の脚体３１は、上部脚体３２と、中間脚体３３（図６参照）と、下部脚体３４と、を備える。
上部脚体３２は、上下方向に延びる角筒状に形成されている。上部脚体３２は、上述した脚体収容部２５内に収容されている。本実施形態において、上部脚体３２は、脚体収容部２５内に嵌合されている。すなわち、上部脚体３２は、下部横幕板１２に周囲が覆われ、天板昇降式什器１の外部に露呈していない。上部脚体３２の上端部は、天板２１の下面に、ボルト（図示無し）等を介して接合されている。
【００３５】
中間脚体３３は、少なくとも上端部が上部脚体３２の下端開口部を通じて上部脚体３２の内側に収容されている。中間脚体３３は、上部脚体３２の下端開口部からから下方に向かって出没可能とされている。
下部脚体３４は、少なくとも上端部が中間脚体３３の下端開口部を通じて中間脚体３３の内側に収容されている。下部脚体３４の下端部は、下部横幕板１２の内側で上述したフレーム１６に、ブラケット１７を介して支持されている。
【００３６】
脚体３１の内部には、下部脚体３４に対して中間脚体３３及び上部脚体３２を上下方向に昇降させるモータ等の駆動機構が内蔵されている。
【００３７】
コントローラ３５は、例えば天板２１の前端部２１ｆの下面２１ｂに設けられている。昇降機構３０は、天板２１に対して前側に位置するメインの使用者がコントローラ３５を操作することによって、脚体３１の駆動機構が制御され、脚体３１が上下方向に伸縮する。ここで、脚体３１が伸縮するときには、下部脚体３４及び中間脚体３３が上部脚体３２から下方に向かって出没する。
このようにして、脚体３１は、床面Ｆ上に互いに離間して一対が配置され、天板２１は、一対の脚体３１によって昇降可能に支持されている。
【００３８】
図１、図４に示すように、上述した天板昇降式什器１は、天板２１の下方において、後幕板１１，２２に対して前側に位置する部分に、下部後幕板１１と、一対の下部横幕板１２と、上部後幕板２２と、一対の上部横幕板２３とに囲まれた下肢収容空間Ｓ１が形成されている。下肢収容空間Ｓ１は、メインの使用者の下肢を収容可能に構成されている。
【００３９】
また、図２、図４に示すように、天板昇降式什器１は、天板２１の下方において、後幕板１１，２２に対して後側に位置する部分に、下部後幕板１１と、一対の下部横幕板１２（外側面部１４）の後端部１４ｒとによって囲まれた後部収容空間Ｓ２が形成されている。後部収容空間Ｓ２には、天板２１の前側に位置するメインの使用者に対し、天板２１の後側にサブの使用者が対面して位置した場合に、サブ使用者の下肢の一部や、サブの使用者の所持物品等を収容することができる。
【００４０】
このように、本実施形態では、上述した後幕板１１，２２によって、天板２１の下方空間が下肢収容空間Ｓ１と後部収容空間Ｓ２とに区画されている。一方、横幕板１２，２３によって天板２１の下方空間（下肢収容空間Ｓ１及び後部収容空間Ｓ２）が左右方向に区画されている。
【００４１】
天板昇降式什器１は、脚体３１を上下方向に昇降させることで、天板２１の高さが調整可能となっている。
ここで、上部後幕板２２及び上部横幕板２３は、下部後幕板１１及び下部横幕板１２に対し、内側（下肢収容空間Ｓ１側）に設けられている。このため、特に天板２１の下後端位置Ｐ２（図４参照）において、天板昇降式什器１を外側から見た場合、上部後幕板２２及び上部横幕板２３は、下部後幕板１１及び下部横幕板１２の裏側に隠れた状態となる。
一方、上部脚体３２の上昇に伴い、上部後幕板２２及び上部横幕板２３が上昇すると、上部後幕板２２及び上部横幕板２３が、下部後幕板１１及び下部横幕板１２の裏側から露出する。
【００４２】
図６に示すように、天板昇降式什器１において、脚体３１を上下方向に最大限に伸ばして天板２１を上昇端位置Ｐ１に位置させた状態で、上部後幕板２２及び上部横幕板２３の下端２２ｂ，２３ｂは、下部後幕板１１及び下部横幕板１２の上端１１ｔ，１２ｔよりも下方に位置する。
【００４３】
天板昇降式什器１は、下部後幕板１１及び上部後幕板２２に対して前側に、配線収容部４０を備えている。配線収容部４０は、床面Ｆと平行に配置された底板部４１と、底板部４１の前端部から上方に立ち上がる立ち上がり壁４２と、を有している。
図４に示すように、立ち上がり壁４２は、下部後幕板１１及び上部後幕板２２に対し、前側に配置されている。立ち上がり壁４２は、天板２１が下降端位置Ｐ２まで下降した状態で、上部後幕板２２の下端２２ｂよりも高い位置まで延びている。すなわち、天板２１が下降端位置Ｐ２に位置した状態で、立ち上がり壁４２の上端４２ｔは上部後幕板２２の下端２２ｂよりも上方に位置している。なお、配線収容部４０に対して前側に、配線収容部４０を前側から覆う幕板を別途設けてもよい。
【００４４】
天板昇降式什器１は、上部後幕板２２に対して前側に、配線ガイド５０を備えている。配線ガイド５０は、その上端部が、上部後幕板２２の前面に設けられたブラケット５１に吊り下げられている。配線ガイド５０は、可撓性を有し、天板２１上で使用する機器に接続される各種の配線や、コントローラ３５に接続される配線等が挿通される。配線ガイド５０の下端部は、配線収容部４０内に位置し、配線ガイド５０内に挿通された各種の配線は、配線収容部４０内に収容される。
【００４５】
ところで、本実施形態では、天板２１のうち、下部後幕板１１の後面から後側に張り出す後側張出寸法Ｄ１が、上部後幕板２２の前面から前側に張り出す前側張出寸法Ｄ２よりも小さい。このような天板昇降式什器１に対し、メインの使用者が、天板２１の前側に位置した状態で、サブの使用者が天板２１の後側に位置すると、サブの使用者の下肢が、上部後幕板２２及び下部後幕板１１に近付きやすい。
【００４６】
そこで、本実施形態では、天板２１から下方に向かって延設されるとともに、天板２１の下方空間を前後方向に仕切る上部後幕板２２と、上部後幕板２２よりも低い位置で、前後方向で天板２１の後端面２１ｅと上部後幕板２２との間に配置された下部後幕板１１と、を備える構成とした。
この構成によれば、上部後幕板２２は下部後幕板１１に対して天板２１の前側に配置されているので、サブの使用者側から見ると、下部後幕板１１に対し、上部後幕板２２がサブの使用者から遠い側に位置する。したがって、脚体３１の伸縮によって天板２１とともに上部後幕板２２が昇降しても、サブの使用者の下肢に上部後幕板２２が干渉するのを抑えることができる。その結果、サブの使用者は、前側に下肢を近づけて天板２１上のスペースを利用することができ、天板２１上のスペースの使用性を高めることが可能となる。
【００４７】
本実施形態では、下部後幕板１１に対して、左右方向の少なくとも一方の端側に、下部横幕板１２をさらに備える構成とした。
この構成によれば、天板２１の下方空間を下部横幕板１２によって左右方向で仕切ることで、天板昇降式什器１を左右方向の外側から見たときに、使用者の下肢が外部に露呈しにくくなる。
【００４８】
本実施形態では、下部横幕板１２が下部後幕板１１の左右両端部にそれぞれ接続されている構成とした。
この構成によれば、下部後幕板１１及び下部横幕板１２が前側に開口する平面視コ字状をなす。これにより、下部後幕板１１及び下部横幕板１２を、より強固に設けることができる。また、下肢収容空間Ｓ１内が下部横幕板１２によって左右両側から覆われるので、使用者の下肢がより一層露呈しにくくなる。
【００４９】
本実施形態では、下部横幕板１２（外側面部１４）の後端部１４ｒが、下部後幕板１１よりも後側に突出している構成とした。
この構成によれば、天板２１の下方において、後幕板１１，２２に対して後側に位置する部分に、下部後幕板１１と、一対の下部横幕板１２（外側面部１４）とによって囲まれた後部収容空間Ｓ２が形成される。そのため、天板２１の後側に位置するサブの使用者は、例えば自らの下肢を後部収容空間Ｓ２に収容することができる。これにより、サブの使用者は、前後方向でより天板２１に近づくことが可能になり、天板２１上のスペースが利用し易くなる。
【００５０】
本実施形態では、脚体３１が上部後幕板よりも前側に配置されている構成とした。
この構成によれば、天板昇降式什器１を後側から見たとき後幕板１１，２２によって脚体３１が隠れるので、意匠性を向上させることができる。
【００５１】
本実施形態では、脚体３１が天板２１における前後方向の中央部２１ｃを支持している構成とした。
この構成によれば、脚体３１により、天板２１をバランス良く支持することができる。
【００５２】
本実施形態では、上部後幕板２２に対して前側に、立ち上がり壁４２が設けられている構成とした。
このように構成することで、天板２１が下降したときに、天板２１とともに下降する上部後幕板２２の下端２２ｂと床面Ｆとの間に物品等が挟まるのを抑えることができる。
また、立ち上がり壁４２と下部後幕板１１との間に、配線等を収容することもできる。
【００５３】
本実施形態では、天板２１が下降端位置Ｐ２に位置した状態で、上部後幕板２２の下端２２ｂが立ち上がり壁４２の上端４２ｔよりも下方に位置している構成とした。
この構成によれば、天板２１が下降するときに、上部後幕板２２の下端２２ｂが下部後幕板１１と立ち上がり壁４２との間に進入する。そのため、天板２１が下降するときに、天板２１とともに下降する上部後幕板２２の下端２２ｂと床面Ｆとの間に物品等が挟まるのを、確実に抑えることができる。
【００５４】
本実施形態では、天板２１が上昇端位置Ｐ１に位置した状態で、上部後幕板２２の下端２２ｂが、下部後幕板１１の上端１１ｔよりも下方に位置している構成とした。
この構成によれば、天板２１が上昇端位置Ｐ１に位置した場合においても、上部後幕板２２の一部と、下部後幕板１１の一部とが重なり合う。これにより、メインの使用者の下肢が露呈するのを、より確実に抑えることができる。
【００５５】
（その他の実施形態）
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、上部後幕板２２の下方に、下部後幕板１１を１枚のみ設けるようにしたが、これに限らない。上部後幕板２２の下方に、下部後幕板１１を上下に複数枚備えるようにしてもよい。その場合も、上部後幕板２２を、複数枚の下部後幕板１１に対し、天板２１の前側に配置すればよい。
上述した実施形態では、下部横幕板１２が、前部箱状部１３、外側面部１４、内側面部１５を備える構成としたが、これに限らず、いかなる構成としてもよい。
上述した実施形態では、脚体３１と上部後幕板２２との間の空間を、上部横幕板２３によって左右方向で仕切るようにしたが、これに加え、上部横幕板２３の前端部を、下部横幕板１２の前端部と同様の位置まで前側に延ばすようにしてもよい。また、上部横幕板２３の後端部についても、下部横幕板１２の後端部１４ｒと同様の位置まで前方に延ばすようにしてもよい。
【００５６】
上述した実施形態では、上部後幕板２２及び下部後幕板１１の両端部に、上部横幕板２３及び下部横幕板１２がそれぞれ設けられ、上部後幕板２２及び上部横幕板２３、並びに下部後幕板１１及び下部横幕板１２によってそれぞれ平面視コ字状をなすようにしたが、これに限らない。上部横幕板２３及び下部横幕板１２を、上部後幕板２２及び下部後幕板１１の左右方向の一方の端側のみに設けるようにしてもよい。また、上部横幕板２３及び下部横幕板１２を有さない構成でもよい。
【００５７】
上述した実施形態では、脚体３１よりも後側に後幕板１１，２２が配置された構成について説明したが、この構成のみに限られない。脚体３１よりも前側に後幕板１１，２２が配置されていてもよい。
上述した実施形態では、天板２１に設けられた上部脚体３２内に、下部脚体３４が収容された構成について説明したが、これに限らない。下部脚体の内側に上部脚体が収容された構成であってもよい。このような構成とする場合であっても、脚体を脚体収容部２５に収容すれば、脚体が外部に露呈するのを抑えることができる。
【００５８】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００５９】
１  天板昇降式什器
１０  下部構造体
１１  下部後幕板（下部幕板）
１１ｔ  上端
１２  下部横幕板（側部幕板）
１２ｒ  後端部
１２ｔ  上端
２０  上部構造体
２１  天板
２１ｂ  下面
２１ｄ  前端面
２１ｅ  後端面
２２  上部後幕板（上部幕板）
２２ｂ  下端
３１  脚体
４２  立ち上がり壁
４２ｔ  上端
Ｆ  床面
Ｐ１  上昇端位置
Ｐ２  下降端位置
【図１】
2019083914.tif 000003
【図２】
2019083914.tif 000004
【図３】
2019083914.tif 000005
【図４】
2019083914.tif 000006
【図５】
2019083914.tif 000007
【図６】
2019083914.tif 000008